【事件の表示】
　特願２００４−２８８５５９号「空気清浄化システム」拒絶査定不服審判事件〔平成１８年　４月２０日出願公開、特開２００６−１０５４０８号〕について、次のとおり審決する。
【結　論】
　本件審判の請求は、成り立たない。
【理　由】
第１．手続の経緯
　本願は、平成１６年９月３０日の出願であって、平成２２年９月１０日付けで拒絶査定がなされ、これに対して平成２２年１２月１４日に拒絶査定不服審判が請求されるとともに、同日付けで手続補正がなされたものである。
　
第２．平成２２年１２月１４日付け手続補正についての補正却下の決定　
［補正却下の決定の結論］
　平成２２年１２月１４日付け手続補正（以下「本件補正」という）を却下する。　
　　
［理由］
１．補正後の本願発明
　本件補正により、特許請求の範囲の請求項１は、
「室内または外気の少なくとも一方の空気を吸い込み、清浄化した後に所定の室内に吹き出す空気清浄手段と、前記室内の空気を屋外へ排出させる空調手段と、臭いまたは埃を検出する第１の検出センサと、有害物質を検出する第２の検出センサと、前記空気清浄手段と空調手段との作動を制御する制御部と、前記室内に設置されるとともに、前記制御部と接続されたリモートコントローラとを備え、前記制御部は、前記第１および第２の検出センサの検出結果と前記リモートコントローラの操作に基づいて前記制御をする空気清浄化システムであって、
　前記空気清浄手段は前記空調手段とともに天井に設置され、
　前記リモートコントローラに前記第１の検出センサおよび第２の検出センサを設けたことを特徴とする。」と補正された。　
　
　上記の補正は、発明を特定するために必要な事項である「空調手段」に対して「室内の空気を屋外に排出させる」ことを限定し、「空気清浄手段」に対して「空調手段とともに天井に設置され」ることを限定し、さらに、「・・特徴とする空気清浄化システム。」を「・・特徴とする。」と、「空気清浄化システム」を削除するものであって、かつ、本件補正前の特許請求の範囲の請求項１に記載された発明と、本件補正後の特許請求の範囲の請求項１に記載される発明の産業上の利用分野及び解決しようとする課題が同一であるから、実質的に、平成１８年法律第５５号改正附則第３条第１項によりなお従前の例とされる同法による改正前の特許法第１７条の２第４項第２号において規定する特許請求の範囲の減縮を目的とするものに相当する。　
　
　そこで、本件補正後の特許請求の範囲の請求項１に記載された発明（以下「本願補正発明」という）が、独立して特許を受けることができるものであるか（平成１８年法律第５５号改正附則第３条第１項によりなお従前の例とされる同法による改正前の特許法第１７条の２第５項において準用する同法第１２６条第５項の規定に適合するかどうか）について以下に検討する。　
　
２．引用刊行物とその記載　
　引用刊行物：特開平５−２６９３２３号公報　
　
　原査定の拒絶の理由に引用され、本願出願前に頒布された引用刊行物には、「空気清浄機」に関して以下の記載がある。　
　
ア．「【０００７】
【課題を解決するための手段】本発明による課題解決手段は、
室内空気中の塵埃を除去して清浄空気を除塵ファンを介して室内に送風する除塵装置と、熱交換器、換気ファンを有し熱交換換気を行う換気装置とを備え、室内空気循環風路に、室内の塵埃濃度を検出する塵埃センサと、室内の有害ガス濃度を検出するガスセンサとが設けられ
　
イ．「【００１１】
本実施例の空気清浄機は、図８，９の如く、天井埋め込みタイプのものであって、Ｒ１は室内、Ｒ２は室外、Ｒ３は天井、１は空気清浄機本体である。
【００１２】
除塵装置Ｃは、エアフィルタ３の下流側に配置されており、室内循環空気ＲＡ１中の塵埃を集塵する集塵エレメント４と、集塵エレメント４で塵埃が除去された清浄室内循環空気ＳＡ１を室内Ｒ１に送風する除塵ファンＭＦ２とを有している。そして、除塵装置Ｃには、清浄室内循環空気ＳＡ１を室内Ｒ１に供給するための第１供給ダクト１０が接続されている。
【００１３】
換気装置Ｖは、エアフィルタ３の上流側に配置され室内換気空気ＲＡ２と室外空気ＯＡを熱交換させる熱交換器１３と、熱交換器１３を通過した室内熱交換換気空気ＥＡを室外Ｒ２に排気する換気排気ファンＭＦ１と、高性能フィルタ６を通過した清浄室外空気ＳＡ２を室内Ｒ１に送風する換気給気ファンＭＦ３とを有している。
　
ウ．「【００２１】この制御システムの電気的構成を図５を参照して説明する。図５は制御システムの電気的構成を示すブロック図である。
図５において、５０は炭酸ガスセンサ２８の出力信号に基づき、室内空気のＣＯ
2 
濃度を検知する機能と、外気温センサ２０および内気温センサ２１の出力信号に基づき、室内空気と室外空気の温度差を検知する機能と、ダンパー２２および換気装置Ｖの換気ファンＭＦ１，ＭＦ３に制御信号を出力する機能とを有する制御回路、５１は塵埃センサ１２の出力信号に基づき、室内空気の塵埃濃度を検知する機能を有する制御回路、５２は制御回路５０からのＣＯ
2 
濃度情報および換気運転判別情報と、制御回路５１からの塵埃濃度情報とに基づき、室内空気の空気質を判別する機能と、除塵ファンＭＦ２および換気給気ファンＭＦ３に制御信号を出力する制御回路である。
【００２２】５３，５４は制御回路５０，５２の情報の交信を行う通信回路、５５，５６は制御回路５１，５２の情報の交信を行う通信回路である。５７は制御回路５０の制御信号に基づき、ダンパー２２を回動させるダンパーモータＤＭおよび換気排気ファンＭＦ１を駆動させる駆動回路、５８は制御回路５３の制御信号に基づき、除塵ファンＭＦ２および換気給気ファンＭＦ３を駆動させる駆動回路である。　
【００２３】５
９はリモートコントロールスイッチ６０の信号を受信しその受信情報を制御回路５０に出力する受信回路、
　
エ．図８から、除塵装置Ｃは、室内から空気を吸い込むことと、室内循環風路を備えること、換気装置Ｖは、第２吸入ダクト２５と、換気排気ファンＭＦ１と、排気ダクト２６とを通じて室内の空気を室外に排出していることが看取できる。
　
　以上の記載ア．〜エ．及び図面の記載を総合し、本願補正発明に則って整理すると、引用刊行物には、以下の発明（以下「引用発明」という）が記載されている。　
　
「室内の空気を吸い込み、室内空気中の塵埃を除去して清浄空気を除塵ファンＭＦ２を介して室内に送風する除塵装置Ｃと、室内の空気を室外に排出する、換気排気ファンＭＦ１を有し換気を行う換気装置Ｖと、室内の塵埃濃度を検出する塵埃センサ１２と、室内の有害ガス濃度を検出する炭酸ガスセンサ２８と、除塵ファンＭＦ２と換気排気ファンＭＦ１とに制御信号を出力する制御回路と、制御回路と接続されたリモートコントロールスイッチ６０とを備え、前記制御回路は、前記塵埃センサ１２の出力信号と炭酸ガスセンサ２８の出力信号と、リモートコントロールスイッチ６０からの受信情報に基づいて制御信号を出力する空気清浄機であって、　
　該空気清浄機は、天井埋め込みタイプのものであり、　
　前記除塵装置Ｃの室内空気循環風路に、前記塵埃センサ１２と前記炭酸ガスセンサ２８を設けた空気清浄機。」　
　
３．発明の対比　
　本願補正発明と引用発明とを対比すると、引用発明の「室内の空気を吸い込み、室内空気中の塵埃を除去して清浄空気を除塵ファンＭＦ２を介して室内に送風する除塵装置Ｃ」は、本願補正発明の「室内または外気の少なくとも一方の空気を吸い込み、清浄化した後に所定の室内に吹き出す空気清浄手段」に相当し、以下同様に、「室内の空気を室外に排出する、換気排気ファンＭＦ１を有し換気を行う換気装置Ｖ」は、「室内の空気を屋外へ排出させる空調手段」に、「室内の塵埃濃度を検出する塵埃センサ１２」は、「臭いまたは埃を検出する第１の検出センサ」に、「室内の有害ガス濃度を検出する炭酸ガスセンサ２８」は、「有害物質を検出する第２の検出センサ」に、「除塵ファンＭＦ２と換気排気ファンＭＦ１とに制御信号を出力する制御回路」は、「空気清浄手段と空調手段との作動を制御する制御部」に、「制御回路と接続されたリモートコントロールスイッチ６０」は、「制御部と接続されたリモートコントローラ」に、「制御回路は、前記塵埃センサ１２の出力信号と炭酸ガスセンサ２８の出力信号と、リモートコントロールスイッチ６０からの受信情報に基づいて制御信号を出力する」ことは、「制御部は、前記第１および第２の検出センサの検出結果と前記リモートコントローラの操作に基づいて前記制御をする」ことに、「空気清浄機」は、「空気清浄化システム」に、「空気清浄機は、天井埋め込みタイプのものであ」ることは、「空気清浄手段は前記空調手段とともに天井に設置され」ることにそれぞれ相当する。　　
　
　よって、両者の一致点、相違点は以下のとおりである。　
　
［一致点］　
　「室内または外気の少なくとも一方の空気を吸い込み、清浄化した後に所定の室内に吹き出す空気清浄手段と、前記室内の空気を屋外へ排出させる空調手段と、臭いまたは埃を検出する第１の検出センサと、有害物質を検出する第２の検出センサと、前記空気清浄手段と空調手段との作動を制御する制御部と、前記制御部と接続されたリモートコントローラとを備え、前記制御部は、前記第１および第２の検出センサの検出結果と前記リモートコントローラの操作に基づいて前記制御をする空気清浄化システムであって、
　前記空気清浄手段は前記空調手段とともに天井に設置されたことを特徴とする（空気清浄化システム）。」　
　
［相違点１］　
　本願補正発明においては、リモートコントローラが室内に設置されているのに対し、引用発明においては、リモートコントロールスイッチ６０がどこに設置されているのか不明である点。　
　
［相違点２］　
　本願補正発明においては、リモートコントローラに、第１の検出センサおよび第２の検出センサを設けたのに対し、引用発明においては、除塵装置Ｃの室内空気循環風路内に、塵埃センサ１２と炭酸ガスセンサ２８を設けている点。　
　
４．当審の判断　
　そこで、上記相違点について検討する。　
　　
［相違点１について］
　空気清浄化システムなどの空調機器の分野において、リモートコントローラを室内の使用者が操作できるように室内に設けることは、例を挙げるまでもなく従来周知であり、引用発明において、使用者が操作できるように、リモートコントロールスイッチ６０（リモートコントローラ）を室内に設けることは、当業者であれば当然に採用し得る事項に過ぎない。
　
［相違点２について］
　室内空気の汚れ等を検出するセンサをリモートコントローラに設けることにより、使用者周囲の空気の状態を検知することは、周知技術（実願平０３−０９４５０７号（実開平０５−０３６２１１号）のＣＤ−ＲＯＭ、特開平３−５６１１５号公報、特開２０００−８８３２３号公報を参照）であって、さらに、天井や天井付近に設置した空調機器においても、室内空気の状態を検知するためのセンサをリモートコントローラに設けることは、周知技術（特開２００３−２７９０８８号公報、特開２００３−２７９１１５号公報、特開平７−１７４３７６号公報を参照）である。　
　よって、引用発明において、上記周知技術を適用して、塵埃センサ１２と炭酸ガスセンサ２８を設ける位置を、除塵装置Ｃの室内空気循環風路内に代えて、リモートコントロールスイッチ６０に設けることにより、上記相違点２に係る本願補正発明の構成とすることは、当業者であれば容易になし得たことである。
　
　そして、本願補正発明により得られる効果も、引用発明及び周知技術に基づいて、当業者であれば予測できた範囲内のものである。
　
　よって、本願補正発明は、引用発明及び周知技術に基づいて当業者が容易に発明をすることができたものであるから、特許法第２９条第２項の規定により特許出願の際独立して特許を受けることができない。
　
５．結び
　以上のとおり、本件補正は、平成１８年法律第５５号改正附則第３条第１項によりなお従前の例とされる同法による改正前の特許法第１７条の２第５項において準用する同法第１２６条第５項の規定に違反するものであり、同法第１５９条第１項において読み替えて準用する同法第５３条第１項の規定により却下されるべきものである。
　
第３．本願発明について
１．本願の発明
　本件補正は上述のように却下されたので、本願の請求項１に係る発明は、平成２２年７月９日付けの手続補正により補正された特許請求の範囲の請求項１に記載された事項により特定される以下のとおりのものである。　
（以下「本願発明」という）  　
　
「室内または外気の少なくとも一方の空気を吸い込み、清浄化した後に所定の室内に吹き出す空気清浄手段と、該空気清浄手段とは別の空調手段と、臭いまたは埃を検出する第１の検出センサと、有害物質を検出する第２の検出センサと、前記空気清浄手段と空調手段との作動を制御する制御部と、前記室内に設置されるとともに、前記制御部と接続されたリモートコントローラとを備え、前記制御部は、前記第１および第２の検出センサの検出結果と前記リモートコントローラの操作に基づいて前記制御をする空気清浄化システムであって、　
　前記リモートコントローラに前記第１の検出センサおよび第２の検出センサを設けたことを特徴とする空気清浄化システム。」　
　
２．引用刊行物とその記載内容　
　引用刊行物と、その記載内容は、上記「第２．２．」に記載したとおりのものである。　
　　
３．発明の対比・判断
　本願発明は、上記「第２．」で検討した本願補正発明から、「空調手段」及び「空気清浄手段」についての限定を省いたものである。そうすると、本願発明の構成要件を全て含んだものに相当する本願補正発明が、上記「第２．４．」で記載したとおり、引用発明及び周知技術に基づいて、当業者が容易に発明することができたものであるから、本願発明も、当業者が引用発明及び周知技術に基づいて容易に発明をすることができたものである。
　
４．結び
　以上のとおり、本願発明は、引用発明及び周知技術に基づいて容易に発明することができたものであるから、特許法第２９条第２項の規定により特許を受けることができない。
　　
　したがって、本願は、他の請求項について検討するまでもなく、拒絶すべきものである。
　
　よって、結論のとおり審決する。